(57)【要約】【課題】プラントの状態に応じたメッセージの通知を行なうプラント監視制御装置を得る。【解決手段】プラント監視制御装置１は、プラント機器から収集したプラントデータをデータ蓄積部１３に蓄積し、予め通知設定ウィンドウにより、通知メッセージごとにこれを表示する日時およびプラントデータの状態を指定しておき、プラント監視制御装置１の通知管理部１２が、時刻管理部１４から現在時刻、データ蓄積部１３からプラントデータを取得し、これらの取得した日時およびプラントデータの状態が、通知設定ウィンドウで設定された日時およびプラントデータの状態と一致した場合に、該当する通知メッセージを表示制御部１１により表示するようにした。【選択図】図２
2018190357.tif 000002
【特許請求の範囲】
【請求項１】
プラント機器から収集したプラントデータを蓄積するデータ蓄積部、
ユーザへの通知メッセージを作成し、管理する通知管理部、
および上記通知メッセージの表示を制御するとともに、上記通知メッセージの表示のための設定を行なう通知設定ウィンドウを表示する表示制御部を備え、
上記通知設定ウィンドウは、上記通知メッセージを表示するための日時の指定およびプラントデータの状態の指定を含む表示条件を設定できるように構成され、
上記通知管理部は、上記通知設定ウィンドウでの設定内容に一致する上記通知メッセージを上記表示制御部に表示させることを特徴とするプラント監視制御装置。
【請求項２】
上記通知管理部は、上記通知メッセージを表示する対象とするプラント監視制御装置を指定する対象装置情報を有し、
上記プラント監視制御装置が対象に指定されている場合に、上記通知メッセージを上記表示制御部に表示させることを特徴とする請求項１に記載のプラント監視制御装置。
【請求項３】
上記通知メッセージを音声によりユーザに伝える音声通報部、
および上記通知メッセージをメールによりユーザに伝えるメール通報部を備えたことを特徴とする請求項１または請求項２に記載のプラント監視制御装置。
【請求項４】
上記通知管理部は、上記表示制御部による通知メッセージの表示、上記音声通報部による通知、および上記メール通報部による通知を、順次行なわせることを特徴とする請求項３に記載のプラント監視制御装置。
【請求項５】
上記通知メッセージを他のプラント監視制御装置へ転送する転送制御部を備えたことを特徴とする請求項１から請求項４のいずれか一項に記載のプラント監視制御装置。
【請求項６】
上記通知管理部は、上記通知メッセージに関連する画面が指定された場合に、この指定された上記関連する画面を管理し、
上記通知メッセージとともに上記関連する画面を上記表示制御部に表示させることを特徴とする請求項１から請求項５のいずれか一項に記載のプラント監視制御装置。
【発明の詳細な説明】
【技術分野】
【０００１】
任意の対象にメッセージを通知する機能を備えたプラント監視制御装置に関するものである。
【背景技術】
【０００２】
従来のプラント監視制御装置においては、ユーザが設定した任意のメッセージを任意の日時に通知することは可能であったが、通知条件としてプラントの状態を任意に指定することはできなかった。
特許文献１には、空調機器の異常時に、空調機器から通報を受けた空調管理装置が運転データを収集し、この収集した運転データを電子メールにより監視端末に通知するものが記載されている。
【先行技術文献】
【特許文献】
【０００３】
【特許文献１】特開２００４−３０１４３６号公報（第４〜７頁、第１図）
【発明の概要】
【発明が解決しようとする課題】
【０００４】
従来のプラント監視制御装置においては、ユーザが設定した任意のメッセージを任意の時刻に通知することは可能であったが、通知条件としてプラントの状態を指定することはできなかった。
そのため、例えば、プラントがある状態の場合にのみメッセージを通知するということができず、プラントの状態を考慮に入れて処置を行わせたい場合は、条件となるプラントの状態を通知メッセージに記載した上で、それを見たユーザが、その都度、判断する必要があった。
特許文献１でも、任意のプラントの状態を指定して通報するようにはなっていなかった。
【０００５】
この発明は、上述のような課題を解決するためになされたものであり、プラントの状態に応じたメッセージの通知を行なうプラント監視制御装置を得ることを目的とする。
【課題を解決するための手段】
【０００６】
この発明に係わるプラント監視制御装置においては、プラント機器から収集したプラントデータを蓄積するデータ蓄積部、ユーザへの通知メッセージを作成し、管理する通知管理部、および通知メッセージの表示を制御するとともに、通知メッセージの表示のための設定を行なう通知設定ウィンドウを表示する表示制御部を備え、通知設定ウィンドウは、通知メッセージを表示するための日時の指定およびプラントデータの状態の指定を含む表示条件を設定できるように構成され、通知管理部は、通知設定ウィンドウでの設定内容に一致する通知メッセージを表示制御部に表示させるものである。
【発明の効果】
【０００７】
この発明によれば、プラント機器から収集したプラントデータを蓄積するデータ蓄積部、ユーザへの通知メッセージを作成し、管理する通知管理部、および通知メッセージの表示を制御するとともに、通知メッセージの表示のための設定を行なう通知設定ウィンドウを表示する表示制御部を備え、通知設定ウィンドウは、通知メッセージを表示するための日時の指定およびプラントデータの状態の指定を含む表示条件を設定できるように構成され、通知管理部は、通知設定ウィンドウでの設定内容に一致する通知メッセージを表示制御部に表示させるので、プラントの状態に応じた通知メッセージを表示することができる。
【図面の簡単な説明】
【０００８】
【図１】この発明の実施の形態１によるプラント監視制御システムを示すシステム構成図である。
【図２】この発明の実施の形態１によるプラント監視制御装置を示す詳細構成図である。
【図３】この発明の実施の形態１によるプラント監視制御装置のハードウェア構成を示す図である。
【図４】この発明の実施の形態１によるプラント監視制御装置の通知設定ウィンドウを示す図である。
【図５】この発明の実施の形態１によるプラント監視制御装置の動作を示すフローチャートである。
【図６】この発明の実施の形態２によるプラント監視制御装置を示す詳細構成図である。
【図７】この発明の実施の形態２によるプラント監視制御装置の動作を示すフローチャートである。
【図８】この発明の実施の形態３によるプラント監視制御装置を示す詳細構成図である。
【図９】この発明の実施の形態３によるプラント監視制御装置の動作を示すフローチャートである。
【図１０】この発明の実施の形態４によるプラント監視制御装置を示す詳細構成図である。
【図１１】この発明の実施の形態４によるプラント監視制御装置の動作を示すフローチャートである。
【図１２】この発明の実施の形態５によるプラント監視制御装置を示す詳細構成図である。
【図１３】この発明の実施の形態５によるプラント監視制御装置の動作を示すフローチャートである。
【図１４】この発明の実施の形態６によるプラント監視制御装置を示す詳細構成図である。
【図１５】この発明の実施の形態６によるプラント監視制御装置の動作を示すフローチャートである。
【発明を実施するための形態】
【０００９】
実施の形態１．
以下、この発明の実施の形態１を図に基づいて説明する。
図１は、この発明の実施の形態１によるプラント監視制御システムを示すシステム構成図である。
図１において、プラント監視制御システムは、後述するプラント監視制御装置１と、プラント情報処理装置２と、これらを接続するプラント制御バス３とにより構成されている。
プラント監視制御装置１は、プラント情報処理装置２を介して、プラント機器の状態を監視、制御し、さらにプラント機器から収集した各種データを蓄積する。プラント情報処理装置２は、プラント機器を制御、計測する。プラント制御バス３は、プラント監視制御装置１とプラント情報処理装置２の双方向で、情報、制御指令の伝達を実現する。
【００１０】
図２は、この発明の実施の形態１によるプラント監視制御装置を示す詳細構成図である。
図２において、プラント監視制御装置１は、次のように構成されている。
表示制御部１１は、画面への表示を制御する。通知管理部１２は、通知するメッセージを作成、管理する。データ蓄積部１３は、プラント情報処理装置２から収集したデータを蓄積する。時刻管理部１４は、時刻を管理する。
【００１１】
図３は、この発明の実施の形態１によるプラント監視制御装置のハードウェア構成を示す図である。
図３において、プラント監視制御装置１は、ＣＰＵ（Ｃｅｎｔｒａｌ  Ｐｒｏｃｅｓｓｉｎｇ  Ｕｎｉｔ）１００、ＲＯＭ（Ｒｅａｄ  Ｏｎｌｙ  Ｍｅｍｏｒｙ）１０１、ＲＡＭ（Ｒａｎｄｏｍ  Ａｃｃｅｓｓ  Ｍｅｍｏｒｙ）１０２、ＨＤＤ（Ｈａｒｄ  Ｄｉｓｋ
Ｄｒｉｖｅ）１０３、表示装置１０４を有している。
ＣＰＵ１００は、ＲＯＭ１０１に格納されたプログラムを用いて、演算処理時の一時記憶にＲＡＭ１０２を使用して、表示制御部１１、通知管理部１２および時刻管理部１４の処理を実行し、表示制御部１１により表示装置１０４の画面に表示する。
データ蓄積部１３は、例えば、ＨＤＤ１０３に格納されているが、他の記憶装置に格納される構成であってもよい。
【００１２】
図４は、この発明の実施の形態１によるプラント監視制御装置の通知設定ウィンドウを示す図である。
図４において、通知設定ウィンドウは、通知日、通知時刻、通知条件、内容（通知内容）を設定できるように構成されている。
図では、通知日は、２０１６年４月２５日、通知時刻は、１４時４９分と設定されている。通知条件は、信号ＡがＯＮ、機器ＢがＯＦＦ、信号Ｃが２５０を超える場合に設定されている。また、通知内容は、「機器ＣをＯＮにすること」と設定されている。
【００１３】
次に、動作について、図５を用いて説明する。
プラント監視制御装置の通知管理部１２は、時刻管理部１４から定期的に現在時刻を取得する。通知管理部１２は、時刻を受信する度に、管理している通知の中で、表示時刻（設定時刻）が現在時刻と一致する通知が無いかどうかを判定する（ステップＳ１）。
設定時刻と一致する通知があった場合は、続けて、プラント状態について、通知条件の判定を行なう。通知管理部１２は、データ蓄積部１３からプラントデータを取得し、そのプラント状態と通知条件が一致しているかどうかの判定を行い（ステップＳ２）、通知条件を満たしている場合は、表示制御部１１へ通知を行い、表示制御部１１が、画面に通知メッセージ（通知内容）を表示する（ステップＳ３）。
【００１４】
実施の形態１によれば、プラントの状態に応じた通知メッセージの表示が可能となり、不要な場合に通知メッセージが表示されることがなくなるため、ユーザの無駄な手間が省け、効率的なプラント監視が可能となる。
【００１５】
実施の形態２．
以下、本発明の実施の形態２を図に基づいて説明する。
図６は、この発明の実施の形態２によるプラント監視制御装置を示す詳細構成図である。
図６において、符号１、１１〜１４は図１におけるものと同一のものである。図６では、通知管理部１２に、通知メッセージごとの通知対象の装置（プラント監視制御装置）を示す対象装置情報１２１を持たせている。
【００１６】
実施の形態２は、通知メッセージの表示条件だけでなく、通知対象の装置も指定可能とした。通知管理部１２が、通知毎の対象装置情報１２１を管理している。
【００１７】
次に、動作について図７を用いて説明する。
ステップＳ１、Ｓ２については図５の処理内容と同じであり、その説明を省略する。
ステップＳ２に続き、通知管理部１２は、対象装置情報１２１を参照して、自装置（自プラント監視制御装置）が通知の対象装置かどうかを判定し（ステップＳ１１）、自装置が通知の対象装置であれば、表示制御部１１へ通知を行い、画面に通知を表示する（ステップＳ３）。
【００１８】
実施の形態２によれば、通知が必要なプラント監視制御装置にのみ通知を行うことが可能となり、通知が不要なプラント監視制御装置には通知が行われないことで、無駄な手間が省け効率的なプラント監視が可能となる。
【００１９】
実施の形態３．
以下、実施の形態３を、図に基づいて説明する。
図８は、この発明の実施の形態３によるプラント監視制御装置を示す詳細構成図である。
図８において、符号１、１１〜１４、１２１は図６におけるものと同一のものである。図８では、プラント監視制御装置１に、音声でメッセージを通報する音声通報部１５と、メールでメッセージを通報するメール通報部１６を設けている。
【００２０】
実施の形態１、２により、指定した条件で通知メッセージを表示することが可能となったが、ユーザが席を離れていて通知に気付かない場合が考えられる。
そこで、実施の形態３は、プラント監視制御装置１に、音声通報部１５とメール通報部１６を設け、通知メッセージ作成時に音声通報、メール通報の有無を指定可能とする。
【００２１】
次に、動作について、図９を用いて説明する。
ステップＳ１〜Ｓ３、Ｓ１１については、図７の処理内容と同じであり、その説明を省略する。
ステップＳ３に続き、通知管理部１２は、指定された通報手段を判定し（ステップＳ２１）、音声通報を行う場合は音声通報部１５へ、メール通報を行う場合はメール通報部１６へ通知する。
これを受けて、音声通報部１５は、音声でメッセージの通報を行ない（ステップＳ２２）、メール通報部１６は、メールでメッセージの通報を行なう（ステップＳ２３）。
【００２２】
実施の形態３によれば、ユーザが席を離れている場合にも通知することが可能となることで、ユーザが通知に気付かず対応が遅れたり漏れたりすることを防止し、通知が確実に処置されることを支援する。
【００２３】
実施の形態４．
以下、実施の形態４を図に基づいて説明する。
図１０は、この発明の実施の形態４によるプラント監視制御装置を示す詳細構成図である。
図１０において、符号１、１１〜１６、１２１は図８におけるものと同一のものである。図１０では、時刻管理部１４に経過時間１４１を持たせている。
【００２４】
実施の形態４は、実施の形態３で述べた通報機能を活用して、段階的に通報を行なうような設定を可能とする。
【００２５】
次に、動作について、図１１を用いて説明する。
通知管理部１２は、実施の形態１〜３で述べた判定を行い、通知条件を満たした場合、まず画面に通知メッセージを表示する（ステップＳ３）。
この後、通知管理部１２は、時刻管理部１４から経過時間１４１を取得して判定を行い（ステップＳ３１）、通知メッセージの確認操作が一定時間行われなかった場合は、音声による通報を行う（ステップＳ３２）。
その後、再び通知管理部１２は、時刻管理部１４から経過時間１４１を取得して判定を行い（ステップＳ３３）、音声通報後に一定時間操作が行われなかった場合は、メールによる通報を行う（ステップＳ３４）。
【００２６】
実施の形態４によれば、段階的な通知が可能となることで、不要な通報が行われることなく、通知が確実に処置されることを支援する。
【００２７】
実施の形態５．
以下、実施の形態５を図に基づいて説明する。
図１２は、この発明の実施の形態５によるプラント監視制御装置を示す詳細構成図である。
図１２において、符号１、１１〜１６、１２１は図８におけるものと同一のものである。図１２は、プラント監視制御装置１に、通知メッセージを他の装置へ転送する転送制御部１７を設けている。
【００２８】
実施の形態５は、プラント監視制御装置１に転送制御部１７を設け、通知メッセージを他の装置（プラント監視制御装置）へ転送できるようにした。
【００２９】
次に、動作について、図１３を用いて説明する。
通知管理部１２は、実施の形態１〜３で述べた判定を行い、通知条件を満たした場合、画面に通知メッセージを表示する（ステップＳ３）。
次いで、ユーザが画面上で通知メッセージを編集し（ステップＳ４１）、転送操作を実行すると（ステップＳ４２）、編集後の通知メッセージが表示制御部１１から通知管理部１２を経由して、転送制御部１７へ通知され、他の装置へ転送される（ステップＳ４３）。
【００３０】
実施の形態５によれば、メッセージの編集と他の装置への転送を可能とすることで、通知されたメッセージの内容の処置完了等の報告を迅速に行うことができる。
【００３１】
実施の形態６．
以下、実施の形態６を図に基づいて説明する。
図１４は、この発明の実施の形態６によるプラント監視制御装置を示す詳細構成図である。
図１４において、符号１、１１〜１４は図２におけるものと同一のものである。図１４では、プラント監視制御装置１に、プラント画面を一覧表示するためのプラント画面一覧情報１８を持たせている。
【００３２】
実施の形態６は、通知メッセージの作成時に、関連画面としてプラント画面一覧情報１８から任意の画面を指定可能とし、指定された画面情報を通知管理部１２が管理するようにした。
【００３３】
次に、動作について、図１５を用いて説明する。
通知管理部１２が、実施の形態１〜３で述べた判定を行い、通知条件を満たした場合、通知メッセージを表示するのは、実施の形態１〜５と同じである。
実施の形態６では、この通知メッセージの表示とともに、プラント画面一覧情報１８から指定された画面を表示するためのボタン（画面表示ボタン）を表示する（ステップＳ５１）。
ユーザが、このボタンを押下することで（ステップＳ５２）、プラント画面一覧情報１８のうちから指定された関連画面が表示される（ステップＳ５３）。
【００３４】
実施の形態６によれば、通知メッセージに関連する画面を探す手間が省け、効率良くプラント監視を行うことが可能となる。
【００３５】
なお、本発明は、その発明の範囲内において、各実施の形態を自由に組み合わせたり、各実施の形態を適宜、変形、省略することが可能である。
【符号の説明】
【００３６】
１  プラント監視制御装置、２  プラント情報処理装置、３  プラント制御バス、
１１  表示制御部、１２  通知管理部、１３  データ蓄積部、１４  時刻管理部、
１５  音声通報部、１６  メール通報部、１７  転送制御部、
１８  プラント画面一覧情報、１２１  対象装置情報、１４１  経過時間、
１００  ＣＰＵ、１０１  ＲＯＭ、１０２  ＲＡＭ、１０３  ＨＤＤ、１０４  表示装置
【図１】
2018190357.tif 000003
【図２】
2018190357.tif 000004
【図３】
2018190357.tif 000005
【図４】
2018190357.tif 000006
【図５】
2018190357.tif 000007
【図６】
2018190357.tif 000008
【図７】
2018190357.tif 000009
【図８】
2018190357.tif 000010
【図９】
2018190357.tif 000011
【図１０】
2018190357.tif 000012
【図１１】
2018190357.tif 000013
【図１２】
2018190357.tif 000014
【図１３】
2018190357.tif 000015
【図１４】
2018190357.tif 000016
【図１５】
2018190357.tif 000017